(57)【特許請求の範囲】
【請求項１】
両軸受リールの防水構造であって、
側板を有するリール本体と、
前記リール本体に対して回転軸芯を中心に回転可能に設けられるスプールと、
前記側板に軸方向に当接可能な第１本体部、及び第１本体部から突出する少なくとも一つの円環状の第１凸部を、有する第１当接部材と、
前記スプールに当接可能且つ前記第１凸部に所定の第１隙間を隔てて隣接配置される第２本体部、及び前記第２本体部から突出し且つ前記第１本体部に所定の第２隙間を隔てて隣接配置される少なくとも一つの円環状の第２凸部を、有する第２当接部材と、
を備え、
前記側板は、前記スプール側に延びる筒状部を、有し、
前記第１当接部材及び前記第２当接部材は、前記筒状部の内周部に収容され、
前記第１凸部及び前記第２凸部は、所定の第３隙間を隔てて隣接配置される、
両軸受リールの防水構造。
【請求項２】
前記第１当接部材及び前記第２当接部材の少なくともいずれか一方には、撥水処理が施されている、
請求項１に記載の両軸受リールの防水構造。
【請求項３】
前記第１凸部及び前記第２凸部は、前記回転軸芯を同心とし且つ互いに径が異なる異径同心円環状に、形成されている、
請求項１又は２に記載の両軸受リールの防水構造。
【請求項４】
最大径の前記第１凸部及び最大径の前記第２凸部の少なくともいずれか一方には、前記回転軸芯から離れる放射方向に突出する壁部が、さらに設けられる、
請求項１から３のいずれか１項に記載の両軸受リールの防水構造。
【請求項５】
前記第１当接部材及び前記第２当接部材の少なくともいずれか一方には、前記リール本体及び前記スプールの間に侵入した流体を重力方向に流動させる流動案内部が、さらに設けられる、
請求項１から４のいずれかに記載の両軸受リールの防水構造。
【請求項６】
前記流動案内部は、最大径の前記第１凸部及び最大径の前記第２凸部の少なくともいずれか一方の外周面に設けられる第１流動案内部を、含む、
請求項５に記載の両軸受リールの防水構造。
【請求項７】
前記流動案内部は、前記第１本体部及び前記第２本体部の少なくともいずれか一方に設けられる第２流動案内部を、含む、
請求項５又は６に記載の両軸受リールの防水構造。
【請求項８】
前記第１本体部は、前記リール本体に当接する第１当接部を、さらに有し、
前記第２本体部は、前記スプールに当接する第２当接部を、さらに有し、
前記第２流動案内部は、前記第１当接部及び第２当接部の少なくともいずれか一方に設けられる、
請求項７に記載の両軸受リールの防水構造。
【請求項９】
前記リール本体は、前記流動案内部によって案内された流体を、前記リール本体の外部に排出する排出部を、さらに有する、
請求項５から８のいずれか１項に記載の両軸受リールの防水構造。
【発明の詳細な説明】
【技術分野】
【０００１】
本発明は、釣用リールの防水構造に関する。
【背景技術】
【０００２】
従来の釣用リール、例えば両軸受リールには、防水構造が設けられたものがある（特許文献１を参照）。この防水構造では、防水壁２３ａ，２８，３１Ｂｂおよび凹環状の溝２３ｂ，２６が、筒状部２３とカバー部材２４と第２のドラグ押圧部材３１Ｂと協働して、ラビリンス構造（多数の凹凸部が連続的に形成された構造）の囲繞壁を、形成している。このラビリンス構造の囲繞壁によって、スプール２とリール本体１ａとの間の隙間から侵入する水が多段階で塞き止められて、ドラグ機構の制御部への水の浸入を防止している（段落２４を参照）。
【先行技術文献】
【特許文献】
【０００３】
【特許文献１】特開２００４−１８０５３０号公報
【発明の概要】
【発明が解決しようとする課題】
【０００４】
上述した防水構造では、スプール２とリール本体１ａとの間の隙間から侵入する水が、ラビリンス構造の囲繞壁によって、多段階で塞き止められている。具体的には、筒状部２３、カバー部材２４、及びドラグ押圧部材３１Ｂそれぞれに対して、複数の防水壁２３ａ，２８，３１Ｂｂや複数の凹環状の溝２３ｂ，２６を設けることによって、迷路状の通路を形成し、ドラグ機構への水の浸入を制限している。
【０００５】
しかしながら、迷路状の通路を形成するためには、筒状部２３、カバー部材２４、及びドラグ押圧部材３１Ｂそれぞれを、特殊な形状に形成する必要がある。すなわち、ラビリンス構造を構成する複数の部材それぞれを、複雑な形状に形成せざるを得なかった。このため、従来のラビリンス構造では、各部材の成型精度や組立て精度を確保することが難しかった。
【０００６】
また、上述した防水構造では、水の逃がし通路を形成する凹環状の２つの溝２３ｂ，２６が、形成されている。しかし、侵入した水が溝２３ｂ，２６に一時的に捕捉されるため、スプールが回転すると、この回転によって、溝２３ｂ，２６に補足された水が、防止壁２３ａ及び２８を乗り越えてしまうという問題点もあった。
【０００７】
本発明は、上記のような問題に鑑みてなされたものであり、本発明の目的は、簡単な構成で実現可能な釣用リールの防水構造を、提供することにある。
【課題を解決するための手段】
【０００８】
発明１に係る釣用リールの防水構造は、リール本体と、回転部材と、第１当接部材と、第２当接部材とを、備える。回転部材は、リール本体に対して回転軸芯を中心に回転可能に設けられる。第１当接部材は、第１本体部と、少なくとも一つの円環状の第１凸部とを、有する。第１本体部は、リール本体に当接可能である。第１凸部は、第１本体部から突出する。第２当接部材は、第２本体部と、少なくとも一つの円環状の第２凸部とを、有する。第２本体部は、回転部材に当接可能であり、且つ第１凸部に所定の第１隙間を隔てて隣接配置される。第２凸部は、第２本体部から突出し、且つ第１本体部に所定の第２隙間を隔てて隣接配置される。第１凸部及び第２凸部は、所定の第３隙間を隔てて隣接配置される。
【０００９】
本釣用リールの防水構造では、第１当接部材が、第１本体部において、リール本体に当接可能である。第２当接部材は、第２本体部において、回転部材に当接可能である。ここで、第１当接部材の第１本体部は、円環状の第２凸部と所定の第２隙間を隔てて、円環状の第２凸部と隣接配置される。また、第２当接部材の第２本体部は、円環状の第１凸部と所定の第１隙間を隔てて、円環状の第１凸部と隣接配置される。さらに、円環状の第１凸部及び円環状の第２凸部は、所定の第３隙間を隔てて、隣接配置される。
【００１０】
このように、第１当接部材の第１本体部に第１凸部を形成し、第２当接部材の第２本体部に第２凸部を形成することによって、第１当接部材と第２当接部材との間に、第１から第３隙間を設けることができる。これにより、リール本体及び回転部材の間に侵入した流体を、防水することができる。すなわち、第１当接部材の第１本体部に第１凸部を形成し、第２当接部材の第２本体部に第２凸部を形成するだけで、防水構造を容易に実現することができる。
【００１１】
発明２に係る釣用リールの防水構造では、発明１に記載の防水構造において、第１当接部材及び第２当接部材の少なくともいずれか一方に、撥水処理が施されている。
【００１２】
この場合、第１当接部材及び第２当接部材の少なくともいずれか一方に、撥水処理が施されているので、第１当接部材及び第２当接部材の間の第１から第３隙間に流体が侵入しづらくなる。すなわち、防水構造の防水効果を向上することができる。
【００１３】
発明３に係る釣用リールの防水構造では、発明１又は２に記載の防水構造において、第１凸部及び第２凸部が、回転軸芯を同心とし且つ互いに径が異なる異径同心円環状に、形成されている。
【００１４】
この場合、第１凸部及び第２凸部が、円環状に形成されているので、第１凸部及び第２凸部を容易に形成することができる。また、第１凸部及び第２凸部が、回転軸芯を同心とし、且つ互いに径が異なっているので、第１凸部及び第２凸部を、径方向に交互に容易に隣接配置することができる。すなわち、第１凸部及び第２凸部を容易に組立てることができる。
【００１５】
発明４に係る釣用リールの防水構造では、発明１から３のいずれか１項に記載の防水構造において、最大径の第１凸部及び最大径の第２凸部の少なくともいずれか一方に、回転軸芯から離れる放射方向に突出する壁部が、さらに設けられる。
【００１６】
この場合、上記放射方向に突出する壁部によって、リール本体及び回転部材の間に侵入した流体が、第１から第３隙間へと侵入しづらくなる。すなわち、第１から第３隙間への流体の侵入を、規制することができる。
【００１７】
発明５に係る釣用リールの防水構造では、発明１から４のいずれかに記載の防水構造において、第１当接部材及び第２当接部材の少なくともいずれか一方に、リール本体及び回転部材の間に侵入した流体を重力方向に流動させる流動案内部が、さらに設けられる。
【００１８】
この場合、流動案内部によって、リール本体及び回転部材の間に侵入した流体を、重力方向に流動させることができるので、第１から第３隙間への流体の侵入を、規制することができる。
【００１９】
発明６に係る釣用リールの防水構造には、発明５に記載の防水構造において、流動案内部が、最大径の第１凸部及び最大径の第２凸部の少なくともいずれか一方の外周面に設けられる第１流動案内部を、含む。
【００２０】
この場合、第１流動案内部によって、最大径の第１凸部における外周面上の流体及び／又は最大径の第２凸部における外周面上の流体を、重力方向に流動させることができるので、第１から第３隙間への流体の侵入を、確実に規制することができる。
【００２１】
発明７に係る釣用リールの防水構造では、発明５又は６に記載の防水構造において、流動案内部が、第１本体部及び第２本体部の少なくともいずれか一方に設けられる第２流動案内部を、含む。
【００２２】
この場合、リール本体と、回転部材と、第１本体部及び／又は第２本体部との間の流体を、第２流動案内部によって、重力方向に流動させることができるので、第１から第３隙間への流体の侵入を、確実に規制することができる。
【００２３】
発明８に係る釣用リールの防水構造では、発明７に記載の防水構造において、第１本体部が、リール本体に当接する第１当接部を、さらに有する。第２本体部は、回転部材に当接する第２当接部を、さらに有する。第２流動案内部は、第１当接部及び第２当接部の少なくともいずれか一方に設けられる。
【００２４】
この場合、リール本体と、回転部材と、第１当接部及び／又は第２当接部との間の流体を、第２流動案内部によって、重力方向に流動させることができる。これにより、第１から第３隙間への流体の侵入を、より確実に規制することができる。
【００２５】
発明９に係る釣用リールの防水構造は、発明５から８のいずれか１項に記載の防水構造において、リール本体が、排出部を、さらに有する。排出部は、流動案内部によって案内された流体を、リール本体の外部に排出する。
【００２６】
この場合、流動案内部によって案内された流体は、排出部によって、リール本体の外部に排出される。これにより、第１から第３隙間への流体の侵入を、より確実に規制することができる。
【発明の効果】
【００２７】
本発明によれば、簡単な構成で実現可能な釣用リールの防水構造を、提供することができる。
【図面の簡単な説明】
【００２８】
【図１】本発明の一実施形態が採用された両軸受リールの側面図。
【図２】図１の切断線II−IIにおける断面図。
【図３】図２における防水構造の部分拡大断面図。
【図４】図１の切断線IV−IVにおける部分拡大断面図。
【図５】本発明の他の実施形態における防水構造を示す部分拡大断面図（図３に対応する図）。
【図６Ａ】本発明の他の実施形態における防水構造を示す部分拡大断面図（図３に対応する図）。
【図６Ｂ】本発明の他の実施形態における防水構造を示す部分拡大断面図（図３に対応する図）。
【図７】本発明の他の実施形態における防水構造を示す部分拡大断面図（図３に対応する図）。
【図８】本発明の他の実施形態における防水構造を示す部分拡大断面図（図３に対応する図）。
【図９】本発明の他の実施形態における防水構造を示す部分拡大断面図。
【発明を実施するための形態】
【００２９】
＜両軸受リールの全体構成＞
図１及び図２において、本発明の一実施形態を採用した両軸受リールは、リール本体１と、ハンドル３と、スプール５とを、備えている。
【００３０】
なお、以降の説明で言う前後左右は、両軸受リールを釣り竿に装着された状態で釣り糸が繰り出される方向が前であり、両軸受リールを後方から見た状態で左右を表している。
【００３１】
ハンドル３は、スプール５を回転させるために、リール本体１の側方に配置されている。ハンドル３は、固定部材例えばナット６によって、ハンドル軸７の先端に一体回転可能に装着されている。
【００３２】
リール本体１は、第１側カバー１３と、側板１５と、複数の連結部１７と、機構装着板１９と、第２側カバー２１とを、有している。ここでは、第１側カバー１３と、側板１５と、複数の連結部１７と、機構装着板１９とによって、フレーム１１が構成される。
【００３３】
第１側カバー１３は、側板１５と所定の間隔を隔てて、配置されている。第１側カバー１３は、後述するスプール軸２０の左端を、回転自在に支持する。
【００３４】
側板１５は、第１側カバー１３と機構装着板１９との間に配置される。側板１５は、側板本体１５ａと、筒状部１６を有している。側板本体１５ａは、実質的に円板状に形成され、その中心部に孔部を有している。
【００３５】
筒状部１６は、側板本体１５ａの外周部に一体に形成されている。筒状部１６は、第１筒状部１６ａと、第２筒状部１６ｂとを、有する。第１筒状部１６ａは、スプール５側に延びる部分である。第１筒状部１６ａの内周部には、防水構造５０（後述する）が配置される。第２筒状部１６ｂは、ハンドル３側に延びる部分である。第２筒状部１６ｂの内周部には、機構装着板１９が配置される。
【００３６】
複数の連結部１７は、第１側カバー１３及び側板１５と一体に形成され、第１側カバー１３及び側板１５を連結する。下方に形成された連結部１７には、両軸受リールを釣り竿に装着するための竿装着脚部４が、装着されている。
【００３７】
機構装着板１９は、第２筒状部１６ｂの内周側において、側板１５と第２側カバー２１との間に、配置されている。機構装着板１９は、側板１５例えば側板本体１５ａに、装着されている。
【００３８】
第２側カバー２１は、ハンドル軸７を回転自在に支持する。第２側カバー２１は、機構装着板１９に装着されている。第２側カバー２１の後部には、クラッチレバー１８が装着されている。
【００３９】
ハンドル軸７は、機構装着板１９及び第２側カバー２１に回転自在に装着されている。ハンドル軸７は、糸繰り出し方向の回転（逆転）が禁止されている。
【００４０】
上述したフレーム１１とスプール５との間には、防水構造５０が配置されている。具体的には、フレーム１１の機構装着板１９及びスプール５との間、且つフレーム１１の第１筒状部１６ａの内周部には、防水構造５０が配置されている。防水構造５０の構成については、後述する。
【００４１】
第２側カバー２１と機構装着板１９との間には、主に、ギア機構２３と、クラッチ機構２５と、クラッチ制御機構２７と、ドラグ機構２９と、キャスティングコントロール機構３１と、が配置されている。
【００４２】
ギア機構２３は、ハンドル３からの回転力を、ハンドル軸７を介して、スプール５に伝える。ギア機構２３は、メインギア２４を有する。メインギア２４は、ハンドル軸７に固定されている。
【００４３】
クラッチ機構２５は、ハンドル３とスプール５とを連結及び遮断する。クラッチ制御機構２５は、クラッチレバー１８の操作に応じて、ピニオンギア３３を軸方向に移動させる。これにより、クラッチ機構２５が、クラッチオン状態（連結状態）とクラッチオフ状態とに設定される。
【００４４】
ドラグ機構２９は、スプール５の糸繰り出し方向の回転を制動する。キャスティングコントロール機構３１は、スプール５の回転時の抵抗力を調整する。
【００４５】
スプール５は、スプール軸２０の回転軸芯Ｃを中心として、リール本体１に対して回転可能に設けられる。具体的には、スプール５は、スプール軸２０を介して、リール本体１の内部に回転自在に装着されている。スプール５は、スプール軸２０に回転不能に固定されている。
【００４６】
スプール５は、糸巻胴部５ａと、一対のフランジ部５ｂと、を有している。糸巻胴部５ａは、釣り糸を巻き付ける部分である。糸巻胴部５ａは、一対のフランジ部５ｂの間に設けられる。
【００４７】
一対のフランジ部５ｂは、糸巻胴部５ａの両端部に一体に形成されている。一方のフランジ部５ｂの外周面（図２の左側のフランジ部５ｂの外周面）と、第１側カバー１３の外周部との間には、僅かな隙間が形成されている。また、他方のフランジ部５ｂの外周面（図２の右側のフランジ部５ｂの外周面）と、側板１５の第１筒状部１６ａとの間にも、僅かな隙間が形成されている。
【００４８】
スプール軸２０は、ハンドル軸７と平行に配置されている。スプール軸２０は、リール本体１、例えば第１側カバー１３及び機構装着板１９に、回転自在に支持されている。スプール軸２０は、鍔状の位置決め部２０ａを有する。位置決め部２０ａは、防水構造５０の第２当接部材６１（後述する）を位置決めするためのものである。位置決め部２０ａは、スプール軸２０の周方向に延び、スプール軸２０に一体に形成されている。
【００４９】
ピニオンギア３３は、ギア機構２３のメインギア２４に噛み合う。ピニオンギア３３は、スプール軸２０が貫通する筒状部材である。ピニオンギア３３は、リール本体１、例えば機構装着板１９及び第２側カバー２１に、回転自在に支持されている。ピニオンギア３３は、スプール軸２０に対して、軸方向に移動自在に装着されている。ピニオンギア３３及びスプール軸２０によって、クラッチ機構２５が構成される。
【００５０】
＜防水構造の構成＞
図２から図４に示すように、防水構造５０は、リール本体１と、スプール５と、第１当接部材５１と、第２当接部材６１と、シール部材７１と、排出孔部７３とを、備える。
【００５１】
ここで、第１当接部材５１及び第２当接部材６１が協働して、リール本体１の内部構造への水（流体の一例）の侵入を規制する。例えば、第１当接部材５１及び第２当接部材６１によって、ラビリンス構造が構成されている。ラビリンス構造については、後述する。
【００５２】
なお、図２から図４には、第１から第３防水隙間Ｂ１，Ｂ２，Ｂ３（後述する）が示されているが、これら第１から第３防水隙間Ｂ１，Ｂ２，Ｂ３は、説明を容易にするために、拡大表示されている。
【００５３】
スプール５は、上述したように、リール本体１に対して回転可能に設けられる。図３に示すように、第１当接部材５１は、リール本体１例えばフレーム１１に当接し、且つ第２当接部材６１と対向して配置される。具体的には、第１当接部材５１は、リール本体１例えばフレーム１１に、装着されている。第１当接部材５１には、撥水処理が施されている。
【００５４】
第１当接部材５１は、第１本体部５３と、複数の第１凸部５５とを、有する。第１本体部５３は、リール本体１に当接可能である。
【００５５】
第１本体部５３は、第１円板部５３ａと、第１当接部５３ｂとを、有する。第１円板部５３ａは、円板状に形成されており、その中心部には第１孔部５３ｃが形成されている。第１孔部５３ｃの内周側には、スプール軸２０が挿通される。第１孔部５３ｃの内周面は、スプール軸２０の外周面から所定の間隔を隔てて、配置されている。
【００５６】
第１当接部５３ｂは、リール本体１に当接する部分である。第１当接部５３ｂは、第１円板部５３ａに一体に形成されている。具体的には、第１当接部５３ｂは円筒状に形成されており、その内周部は上記の第１孔部５３ｃを構成している。第１当接部５３ｂは、スプール軸２０に沿う第１方向（スプール軸２０の軸芯に沿った方向）において、第１円板部５３ａからリール本体１に向けて突出している。第１当接部５３ｂは、リール本体１の側板１５（側板本体１５ａ）に当接している。第１当接部５３ｂ、及び第１円板部５３ａの内周部は、固定部材例えばネジ部材５６（図２を参照）によって、側板１５に固定されている。
【００５７】
第１当接部５３ｂには、第１段差部５４（流動案内部の一例；第２流動案内部の一例）が、設けられている。第１段差部５４は、リール本体１とスプール５との間の空間Ｓに侵入した水を、滞留させることなく重力方向に流動させることができる。
【００５８】
第１段差部５４は、第１対向部５４ａ（第３壁部の一例）と、第１底部５４ｂとを、有している。第１対向部５４ａは、第１円板部５３ａのリール本体１側の側面に対応している。第１対向部５４ａとリール本体１とは、第１方向において、所定の第１案内隙間Ａ１を、形成している。具体的には、第１対向部５４ａは、第１方向において、リール本体１例えば側板１５と対向して配置される。これにより、第１対向部５４ａと側板１５との間には、所定の第１案内隙間Ａ１が形成される。
【００５９】
第１底部５４ｂは、第１当接部５３ｂの外周部に設けられる。すなわち、第１底部５４ｂは、第１当接部５３ｂの外周面に対応している。第１底部５４ｂと、第１対向部５４ａと、リール本体１の側板１５（側板本体１５ａ）とによって、第１溝部Ｍ１が形成される。第１溝部Ｍ１は、スプール軸２０から離れる第２方向（スプール軸２０の軸芯から離れる方向）に開口し、第１当接部５３ｂの外周部に沿って溝状に設けられている。この第１溝部Ｍ１によって、空間Ｓに侵入した水が、スプール軸２０のまわりに案内される。
【００６０】
複数（例えば４個）の第１凸部５５は、第１本体部５３に一体に形成されている。具体的には、複数の第１凸部５５それぞれは、第１本体部５３の第１円板部５３ａから突出している。複数の第１凸部５５それぞれは、第２当接部材６１の第２本体部６３（第２円板部６３ａ；後述する）と所定の第１防水隙間Ｂ１（第１隙間の一例）を隔てて、配置される。
【００６１】
複数の第１凸部５５それぞれは、円環状に形成されている。複数の第１凸部５５それぞれは、回転軸芯Ｃが同心であり、且つ互いに径が異なる。すなわち、複数の第１凸部５５それぞれは、異径同心円環状に形成されている。
【００６２】
複数の第１凸部５５それぞれは、第２方向において、所定の間隔を隔てて、第１本体部５３の第１円板部５３ａに一体に形成されている。第２方向において互いに隣接する第１凸部５５の間には、第２当接部材６１の第２凸部６５（後述する）が、隣接配置される。これにより、第２方向において互いに隣接する第１凸部５５及び第２凸部６５の間には、所定の第２防水隙間Ｂ２（第３隙間の一例）が、設けられる。
【００６３】
第２方向において最も外側の第１凸部５５（最大径の第１凸部５５）には、第２方向に突出する第１壁部５５ａが、設けられている。言い換えると、最大径の第１凸部５５には、スプール軸２０の回転軸芯Ｃから離れる放射方向に突出する第１壁部５５ａが、設けられている。第１壁部５５ａは、第１当接部材５１及び第２当接部材６１の間への水の侵入を、規制する。
【００６４】
具体的には、第１壁部５５ａは、最外径の第１凸部５５の外周部に鍔状に形成されており、スプール５に向けて延びている。この第１壁部５５ａによって、第２案内隙間Ａ２、及び／又は第２及び第３防水隙間Ｂ２，Ｂ３への水の侵入が、規制される。なお、第１壁部５５ａの先端部及びスプール５（フランジ部５ｂ）の間には、所定の隙間が設けられている。
【００６５】
第２当接部材６１は、スプール５に当接し、且つ第１当接部材５１と対向して配置される。具体的には、第２当接部材６１は、スプール軸２０の位置決め部２０ａとスプール５とによって位置決めされ、スプール軸２０に装着される。この状態で、第２当接部材６１は、第１当接部材５１と所定の間隔、例えば所定の第１から第３防水隙間Ｂ１，Ｂ２，Ｂ３を隔てて、配置される。第２当接部材６１には、撥水処理が施されている。
【００６６】
第２当接部材６１は、第２本体部６３と、複数の第２凸部６５とを、有する。第２本体部６３は、スプール５に当接可能である。
【００６７】
第２本体部６３は、第２円板部６３ａと、第２当接部６３ｂとを、有する。第２円板部６３ａは、円板状に形成されており、その中心部には第２孔部６３ｃが形成されている。第２孔部６３ｃの内周部は、スプール軸２０の外周部に圧入固定される。
【００６８】
第２当接部６３ｂは、スプール５に当接する部分である。第２当接部６３ｂは、第２円板部６３ａに一体に形成されている。具体的には、第２当接部６３ｂは円筒状に形成されており、その内周部は上記の第２孔部６３ｃを構成している。第２当接部６３ｂは、第１方向において、第２円板部６３ａからスプール５に向けて突出している。第２当接部６３ｂは、スプール軸２０の位置決め部２０ａによって位置決めされ、スプール５のフランジ部５ｂに当接する。
【００６９】
第２当接部６３ｂには、第２段差部６４（流動案内部の一例；第２流動案内部の一例）が、設けられている。第２段差部６４は、空間Ｓに侵入した水を、重力方向に流動させることができる。具体的には、第２段差部６４は、リール本体１とスプール５との間に侵入した水を、スプール軸２０のまわりに案内可能である。
【００７０】
第２段差部６４は、第２対向部６４ａ（第３壁部の一例）と、第２底部６４ｂとを、有している。第２対向部６４ａは、第２円板部６３ａのスプール５側の側面に対応している。第２対向部６４ａとスプール５とは、第１方向において、所定の第２案内隙間Ａ２を、形成している。具体的には、第２対向部６４ａは、第１方向において、スプール５例えばフランジ部５ｂと対向して配置される。これにより、第２対向部６４ａとフランジ部５ｂとの間には、所定の第２案内隙間Ａ２が形成される。
【００７１】
第２底部６４ｂは、第２当接部６３ｂの外周部に設けられる。すなわち、第２底部６４ｂは、第２当接部６３ｂの外周面に対応している。第２底部６４ｂと、第２対向部６４ａと、スプール５のフランジ１２ａとによって、第２溝部Ｍ２が形成される。第２溝部Ｍ２は、第２方向に開口し、第２当接部６３ｂの外周部に沿って溝状に設けられている。この第２溝部Ｍ２によって、リール本体１とスプール５との間に侵入した水が、スプール軸２０のまわりに案内される。
【００７２】
複数（例えば４個）の第２凸部６５は、第２本体部６３に一体に形成されている。具体的には、複数の第２凸部６５それぞれは、第２本体部６３の第２円板部６３ａから突出している。複数の第２凸部６５それぞれは、第１当接部材５１の第１本体部５３（第１円板部５３ａ）と所定の第３防水隙間Ｂ３（第２隙間の一例）を隔てて、配置される。
【００７３】
複数の第２凸部６５それぞれは、円環状に形成されている。複数の第２凸部６５それぞれは、回転軸芯Ｃが同心であり、且つ互いに径が異なる。すなわち、複数の第２凸部６５それぞれは、異径同心円環状に形成されている。
【００７４】
複数の第２凸部６５それぞれは、第２方向において、所定の間隔を隔てて、第２本体部６３の第２円板部６３ａに一体に形成されている。第２方向において互いに隣接する第２凸部６５の間には、第１当接部材５１の第１凸部５５が、隣接配置される。これにより、第２方向において互いに隣接する第１凸部５５及び第２凸部６５の間には、上述した所定の第１防水隙間Ｂ１が、設けられる。
【００７５】
第２方向において最も外側の第２凸部６５（最大径の第２凸部６５）の外径は、最大径の第１凸部５５の外径より、小さい。これにより、最大径の第２凸部６５は、第２方向において、最大径の第１凸部５５の内周側に、配置される。すなわち、第２方向において互いに隣接する第１凸部５５及び第２凸部６５は、交互に並べて配置される。
【００７６】
最大径の第２凸部６５には、第２方向に突出する第２壁部６５ａが、設けられている。言い換えると、最大径の第２凸部６５には、スプール軸２０の回転軸芯Ｃから離れる放射方向に突出する第２壁部６５ａが、設けられている。第２壁部６５ａは、第１当接部材５１及び第２当接部材６１の間への水の侵入を、規制する。
【００７７】
具体的には、第２壁部６５ａは、最外径の第２凸部６５の外周部に鍔状に形成されており、最大径の第１凸部５５に向けて延びている。この第２壁部６５ａによって、第２及び第３防水隙間Ｂ２，Ｂ３への水の侵入が、規制される。なお、第２壁部６５ａの先端部及び最大径の第１凸部５５の内周面との間には、所定の隙間が設けられている。
【００７８】
上記の第１当接部材５１及び第２当接部材６１によって、ラビリンス構造は構成される。ここでは、このラビリンス構造を、上述した構成に基づいて説明する。
【００７９】
具体的には、第１当接部材５１が、第１本体部５３（第１当接部５３ｂ）において、リール本体１（側板１５）に当接可能である。第２当接部材６１は、第２本体部６３（第２当接部６３ｂ）において、スプール５（フランジ部５ｂ）に当接可能である。
【００８０】
ここで、第１当接部材５１の第１本体部５３（スプール５側の側面）は、第１方向において、第３防水隙間Ｂ３を隔てて、円環状の第２凸部６５と隣接配置される。また、第２当接部材６１の第２本体部６３（第１本体部５３に対向する面）は、第１方向において、第１防水隙間Ｂ１を隔てて、円環状の第１凸部５５と隣接配置される。
【００８１】
また、円環状の第１凸部５５及び円環状の第２凸部６５は、第２方向において、互いに第２防水隙間Ｂ２を隔てて、隣接配置される。第２防水隙間Ｂ２は、第２方向において、第２壁部６５ａの先端部及び最大径の第１凸部５５の内周面の間と、第１凸部５５及び第２凸部６５の間とによって、構成される。
【００８２】
このように、第１当接部材５１及び第２当接部材６１によって構成されるラビリンス構造によって、リール本体１の内部構造への水の侵入が規制される。
【００８３】
シール部材７１は、リール本体１の内部構造への水の侵入を、規制するためのものである。シール部材７１は、第１当接部材５１とリール本体１の内部構造との間に、配置される。具体的には、シール部材７１は、装着部７１ａと、リップ部７１ｂとを、有する。装着部７１ａは、円環状に形成されている。装着部７１ａは、リール本体１に装着される。例えば、装着部７１ａは、側板１５（側板本体１５ａ）と機構装着板１９とによって挟持されている。リップ部７１ｂは、装着部７１ａから内周側に向けて延び、スプール軸２０の外周部に接触する。これにより、水が上述したラビリンス構造を通過したとしても、この水が、スプール軸２０を伝ってリール本体１の内部構造に侵入しないように、シール部材７１によって規制される。
【００８４】
なお、リール本体１の内部構造には、例えば、上述した、ギア機構２３、クラッチ機構２５、クラッチ制御機構２７、ドラグ機構２９、及びキャスティングコントロール機構３１等が、含まれる。
【００８５】
排出孔部７３は、リール本体１とスプール５との間の空間Ｓに侵入した水を、リール本体１の外部に排出可能である。例えば、図４に示すように、空間Ｓに侵入した水が、第１溝部Ｍ１及び第２溝部Ｍ２によって排出孔部７３へと案内され、排出孔部７３から排出される。排出孔部７３は、リール本体１に設けられている。具体的には、排出孔部７３は、側板１５の筒状部１６（第１筒状部１６ａ）に、形成されている。より具体的には、排出孔部７３は、側板１５の筒状部１６（第１筒状部１６ａ）の竿装着脚部４側、すなわち筒状部１６（第１筒状部１６ａ）の下方に、形成されている。ここでは、排出孔部７３は、筒状部１６の第１筒状部１６ａにおいて円周方向に延びる長孔形状に、形成されている。
【００８６】
＜特徴＞
上記実施形態は、下記のように表現可能である。
【００８７】
（Ａ）防水構造５０は、リール本体１と、スプール５と、第１当接部材５１と、第２当接部材６１とを、備える。スプール５は、リール本体１に対してスプール軸２０の回転軸芯Ｃを中心に回転可能に設けられる。第１当接部材５１は、第１本体部５３と、少なくとも一つの円環状の第１凸部５５とを、有する。第１本体部５３は、リール本体１に当接可能である。第１凸部５５は、第１本体部５３から突出する。第２当接部材６１は、第２本体部６３と、少なくとも一つの円環状の第２凸部６５とを、有する。第２本体部６３は、スプール５に当接可能であり、且つ第１凸部５５に所定の第１防水隙間Ｂ１を隔てて隣接配置される。第２凸部６５は、第２本体部６３から突出し、且つ第１本体部５３に所定の第３防水隙間Ｂ３を隔てて隣接配置される。第１凸部５５及び第２凸部６５は、所定の第２防水隙間Ｂ２を隔てて隣接配置される。
【００８８】
本釣用リールの防水構造５０では、第１当接部材５１が、第１本体部５３において、リール本体１に当接可能である。第２当接部材６１は、第２本体部６３において、スプール５に当接可能である。ここで、第１当接部材５１の第１本体部５３は、円環状の第２凸部６５と所定の第２隙間を隔てて、円環状の第２凸部６５と隣接配置される。また、第２当接部材６１の第２本体部６３は、円環状の第１凸部５５と所定の第１防水隙間Ｂ１を隔てて、円環状の第１凸部５５と隣接配置される。さらに、円環状の第１凸部５５及び円環状の第２凸部６５は、所定の第２防水隙間Ｂ２を隔てて、隣接配置される。
【００８９】
このように、第１当接部材５１の第１本体部５３に第１凸部５５を形成し、第２当接部材６１の第２本体部６３に第２凸部６５を形成することによって、第１当接部材５１と第２当接部材６１との間に、第１から第３防水隙間Ｂ１，Ｂ２，Ｂ３を設けることができる。これにより、リール本体１及びスプール５の間（空間Ｓ）に侵入した流体を、防水することができる。すなわち、第１当接部材５１の第１本体部５３に第１凸部５５を形成し、第２当接部材６１の第２本体部６３に第２凸部６５を形成するだけで、防水構造５０を容易に実現することができる。
【００９０】
（Ｂ）防水構造５０では、第１当接部材５１及び第２当接部材６１の少なくともいずれか一方に、撥水処理が施されている。
【００９１】
この場合、第１当接部材５１及び第２当接部材６１の少なくともいずれか一方に、撥水処理が施されているので、第１当接部材５１及び第２当接部材６１の間の第１から第３防水隙間Ｂ１，Ｂ２，Ｂ３に流体が侵入しづらくなる。すなわち、防水構造５０の防水効果を向上することができる。
【００９２】
（Ｃ）防水構造５０では、第１凸部５５及び第２凸部６５が、スプール軸２０の回転軸芯Ｃを同心とし且つ互いに径が異なる異径同心円環状に、形成されている。
【００９３】
この場合、第１凸部５５及び第２凸部６５が、円環状に形成されているので、第１凸部５５及び第２凸部６５を容易に形成することができる。また、第１凸部５５及び第２凸部６５が、スプール軸２０の回転軸芯Ｃを同心とし、且つ互いに径が異なっているので、第１凸部５５及び第２凸部６５を、径方向に交互に容易に隣接配置することができる。すなわち、第１凸部５５及び第２凸部６５を容易に組立てることができる。
【００９４】
（Ｄ）防水構造５０では、最大径の第１凸部５５及び最大径の第２凸部６５の少なくともいずれか一方に、スプール軸２０の回転軸芯Ｃから離れる放射方向に突出する壁部（第１壁部５５ａ、第２壁部６５ａ）が、さらに設けられる。
【００９５】
この場合、上記放射方向に突出する壁部によって、リール本体１及びスプール５の間（空間Ｓ）に侵入した流体が、第１から第３防水隙間Ｂ１，Ｂ２，Ｂ３へと侵入しづらくなる。すなわち、第１から第３防水隙間Ｂ１，Ｂ２，Ｂ３への流体の侵入を、規制することができる。
【００９６】
（Ｅ）防水構造５０では、第１当接部材５１及び第２当接部材６１の少なくともいずれか一方に、リール本体１及びスプール５の間（空間Ｓ）に侵入した流体を重力方向に流動させる段差部（第１段差部５４、第２段差部６４）が、さらに設けられる。
【００９７】
この場合、段差部（第１段差部５４、第２段差部６４）によって、リール本体１及びスプール５の間（空間Ｓ）に侵入した流体を、重力方向に流動させることができるので、第１から第３防水隙間Ｂ１，Ｂ２，Ｂ３への流体の侵入を、規制することができる。
【００９８】
（Ｆ）防水構造５０では、段差部（第１段差部５４、第２段差部６４）が、第１本体部５３及び第２本体部６３の少なくともいずれか一方に設けられる。
【００９９】
この場合、リール本体１と、スプール５と、第１本体部５３及び／又は第２本体部６３との間の流体を、第２流動案内部によって、重力方向に流動させることができるので、第１から第３防水隙間Ｂ１，Ｂ２，Ｂ３への流体の侵入を、確実に規制することができる。
【０１００】
（Ｇ）防水構造５０では、第１本体部５３が、リール本体１に当接する第１当接部５３ｂを、さらに有する。第２本体部６３は、スプール５に当接する第２当接部６３ｂを、さらに有する。段差部（第１段差部５４、第２段差部６４）は、第１当接部５３ｂ及び第２当接部６３ｂの少なくともいずれか一方に設けられる。
【０１０１】
この場合、リール本体１と、スプール５と、第１当接部５３ｂ及び／又は第２当接部６３ｂとの間の流体を、段差部（第１段差部５４、第２段差部６４）によって、重力方向に流動させることができる。これにより、第１から第３防水隙間Ｂ１，Ｂ２，Ｂ３への流体の侵入を、より確実に規制することができる。
【０１０２】
（Ｈ）防水構造５０は、リール本体１が、排出孔部７３を、さらに有する。排出孔部７３は、段差部（第１段差部５４、第２段差部６４）によって案内された流体を、リール本体１の外部に排出する。
【０１０３】
この場合、段差部（第１段差部５４、第２段差部６４）によって案内された流体は、排出孔部７３によって、リール本体１の外部に排出される。これにより、第１から第３防水隙間Ｂ１，Ｂ２，Ｂ３への流体の侵入を、より確実に規制することができる。
【０１０４】
＜他の実施形態＞
以上、本発明の一実施形態について説明したが、本発明は上記実施形態に限定されるものではなく、発明の要旨を逸脱しない範囲で種々の変更が可能である。
【０１０５】
（ａ）前記実施形態では、第１当接部材５１が第１段差部５４を有し、且つ第２当接部材６１が第２段差部６４を有する場合の例を示したが、第１当接部材５１及び第２当接部材６１のいずれか一方に段差部が設けられるようにしてもよい。例えば、この場合の一例として、図５に示すように、防水構造１５０において、第２当接部材１６１のみが、段差部１６４を有していてもよい。段差部１６４の構成は、前記実施形態の第２段差部６４の構成と同様である。また、この場合、第１当接部材１５１には、段差部は設けられていない。なお、図５では、前記実施形態と同じ構成については、同じ符号を付している。
【０１０６】
（ｂ）前記実施形態では、第１当接部材５１が第１壁部５５ａを有し、且つ第２当接部材６１が第２壁部６５ａを有する場合の例を示したが、第１当接部材５１及び第２当接部材６１のいずれか一方に壁部が設けられるようにしてもよい。例えば、この場合の一例として、図５に示すように、防水構造１５０において、第１当接部材１５１のみが、壁部１５５ａを有していてもよい。壁部１５５ａは、前記実施形態の第１壁部５５ａの構成と同様である。また、この場合、第２当接部材１６１には、壁部は設けられていない。なお、図５では、前記実施形態と同じ構成については、同じ符号を付している。
【０１０７】
（ｃ）前記実施形態では、シール部材７１が第１当接部材５１とリール本体１の内部構造との間に設けられる場合の例を示したが、このシール部材７１を用いることなく、防水構造５０を構成してもよい。このように、防水構造５０を構成することによって、より簡単な構成で防水構造５０を実現できる。
【０１０８】
（ｄ）前記実施形態では、第１当接部材５１及び第２当接部材６１が段差部（第１段差部５４、第２段差部６４）を有する場合の例を示した。これに代えて、図６Ａに示すように、段差部を第１当接部材２５１及び第２当接部材２６１に設けることなく、防水構造２５０を構成してもよい。これに加えて、図６Ｂに示すように、前記実施形態の壁部（第１壁部５５ａ、第２壁部６５ａ）を第１当接部材３５１及び第２当接部材３６１に設けることなく、防水構造３５０を構成してもよい。
このように、防水構造２５０，３５０を構成することによって、より簡単な構成で防水構造２５０，３５０を実現できる。なお、図６Ａ及び図６Ｂでは、前記実施形態と同じ構成については、同じ符号を付している。
【０１０９】
（ｅ）前記実施形態では、第１当接部材５１及び第２当接部材６１が壁部（第１壁部５５ａ、第２壁部６５ａ）を有する場合の例を示した。これに代えて、図７に示すように、この壁部を第１当接部材４５１及び第２当接部材４６１に設けることなく、防水構造４５０を構成してもよい。このように、防水構造４５０を構成することによって、より簡単な構成で防水構造４５０を実現できる。なお、図７では、前記実施形態と同じ構成については、同じ符号を付している。
【０１１０】
（ｆ）前記実施形態では、第１当接部材５１及び第２当接部材６１が段差部（第１段差部５４、第２段差部６４）を有する場合の例を示したが、第１当接部材５１及び第２当接部材６１が少なくとも１つの凹部（流動案内部の一例；第１流動案内部の一例）を有していてもよい。
【０１１１】
この場合、防水構造５５０は、図８に示すように、構成可能である。図８では、前記実施形態と同じ構成については、同じ符号を付している。
【０１１２】
例えば、図８に示すように、第１当接部材５５１の最大径の第１凸部５５には、凹部５５ｂが設けられる。より具体的には、凹部５５ｂは、溝状に形成されており、スプール軸２０のまわりに最大径の第１凸部５５の外周部に形成されている。このように、凹部５５ｂを、第１当接部材５５１に設けることによって、最大径の第１凸部５５における外周面上の流体を、重力方向に流動させることができる。これにより、第１溝部Ｍ１（第１案内隙間Ａ１）及び／又は第２溝部Ｍ２（第２案内隙間Ａ２）と、第１から第３防水隙間Ｂ１，Ｂ２，Ｂ３とへの流体の侵入を、確実に規制することができる。
【０１１３】
ここでは、第１当接部材５５１に凹部５５ｂが設けられる場合の例を示したが、第２当接部材６１における最大径の第２凸部６５（外周部）にも、凹部を設けるようにしてもよい。この場合、第２溝部Ｍ２（第２案内隙間Ａ２）と、第１から第３防水隙間Ｂ１，Ｂ２，Ｂ３とへの流体の侵入を、より確実に規制することができる。
【０１１４】
また、第２当接部材６１における最大径の第２凸部６５（外周部）にのみ凹部を設けるようにしてもよい。この場合、第１から第３防水隙間Ｂ１，Ｂ２，Ｂ３への流体の侵入を、より確実に規制することができる。
【０１１５】
（ｇ）前記実施形態では、両軸受リールに防水構造５０，１５０，２５０，３５０，４５０，５５０が用いられる場合の例を示したが、スピニングリールに防水構造６５０を適用してもよい。
【０１１６】
例えば、図９に示すように、スピニングリールの防水構造６５０は、リール本体６０１と、ロータ６０５（回転部材の一例）と、第１当接部材６５１と、第２当接部材６６１とを、備える。ロータ６０５は、リール本体６０１に対して回転軸芯Ｃを中心に回転可能に設けられる。回転軸芯Ｃは、スプール軸６２０（ピニオンギア６２２）の回転軸心に対応している。
【０１１７】
第１当接部材６５１は、第１本体部６５３と、少なくとも一つの円環状の第１凸部６５５とを、有する。第１本体部６５３は、リール本体６０１に当接可能である。具体的には、第１本体部６５３は、リール本体６０１に装着される。ここでは、複数（例えば３個）の第１凸部６５５が、第１本体部６５３から突出している。
第２当接部材６６１は、第２本体部６６３と、少なくとも一つの円環状の第２凸部６６５とを、有する。第２本体部６６３は、ロータ６０５に当接可能である。具体的には、第２本体部６６３は、ロータ６０５に装着される。また、第２本体部６６３は、第１防水隙間Ｂ６０１（第１隙間の一例）を隔てて、第１凸部６５５と隣接配置される。ここでは、複数（例えば３個）の第２凸部６６５が、第２本体部６６３から突出している。第２凸部６６５は、第２防水隙間Ｂ６０３（第２隙間の一例）を隔てて、第１本体部６５３と隣接配置される。第１凸部６５５及び第２凸部６６５は、第３防水隙間Ｂ６０２（第３隙間の一例）を隔てて、隣接配置される。
【産業上の利用可能性】
【０１１８】
本発明は、釣用リールに対して、広く適用可能である。
【符号の説明】
【０１１９】
１，６０１    リール本体
５    スプール
２０，６２０  スプール軸
５０，１５０，２５０，３５０，４５０，５５０，６５０  防水構造
５１，１５１，２５１，３５１，４５１，５５１，６５１  第１当接部材
５３，６５３  第１本体部
５３ｂ  第１当接部
５４  第１段差部
５５，６５５  第１凸部
５５ａ，１５５ａ  第１壁部
５５ｂ  凹部
６１，１６１，２６１，３６１，４６１，６６１  第２当接部材
６３，６６３  第２本体部
６３ｂ  第２当接部
６４，１６４  第２段差部
６５，６６５  第２凸部
６５ａ  第２壁部
７３  排出孔部
Ｂ１，Ｂ６０１  第１防水隙間
Ｂ２，Ｂ６０３  第２防水隙間
Ｂ３，Ｂ６０２  第３防水隙間
Ｃ  回転軸芯
【図１】
0006467188.tif 000002
【図２】
0006467188.tif 000003
【図３】
0006467188.tif 000004
【図４】
0006467188.tif 000005
【図５】
0006467188.tif 000006
【図６Ａ】
0006467188.tif 000007
【図６Ｂ】
0006467188.tif 000008
【図７】
0006467188.tif 000009
【図８】
0006467188.tif 000010
【図９】
0006467188.tif 000011